(57)【要約】      （修正有）【課題】トルク値の数値を見やすいデジタルトルクレンチを提供する。【解決手段】２つの表示部４１，４２を備えたデジタルトルクレンチ１０であって、前記２つの表示部を備えたデジタルトルクレンチは、本体２０と表示ユニット４０とを備え、前記本体はアーム部２１を有し、前記アーム部の前端部にヘッド２２を有し、前記アーム部の中心に縦方向に中央垂直面２１２が形成され、前記表示ユニットは、前記中央垂直面の両側に設けられる２つの表示部を有し、前記２つの表示部は、それぞれ、頂縁部と底縁部とを有し、前記頂縁部と中央垂直面との間に第１距離を形成し、前記底縁部と中央垂直面との間に第２距離を形成し、前記第１距離は前記第２距離よりも小さくすることで、前記２つの表示部は、上方および外側に傾斜する角度を有することで、使用者に容易に観察できる角度を提供する。【選択図】図２
2020146829.tif 000002
【特許請求の範囲】
【請求項１】
２つの表示部を備えたデジタルトルクレンチであって、本体と表示ユニットとを備え、
前記本体はアーム部を有し、前記アーム部の前端部にヘッドを有し、前記アーム部の中心に縦方向に中央垂直面が形成され、前記ヘッドの片側にラチェット部が形成され、
前記表示ユニットは、２つの表示部を有し、前記２つの表示部が傾斜するように前記アーム部に設けけられ、且つ、前記中央垂直面に対して両側に位置され、前記２つの表示部は、それぞれ、頂縁部と底縁部とを有し、前記頂縁部と中央垂直面との間に第１距離を形成し、前記底縁部と中央垂直面との間に第２距離を形成し、前記第１距離は前記第２距離よりも小さい、ことを特徴とする２つの表示部を備えたデジタルトルクレンチ。
【請求項２】
前記本体に設けられる少なくとも１つのボタンセットを更に備え、前記ボタンセットは複数のボタンで構成される、ことを特徴とする請求項１に記載のデジタルトルクレンチ。
【請求項３】
前記少なくとも１つのボタンセットは、前記２つの表示部の頂縁部同士の間に設けられる、ことを特徴とする請求項２に記載のデジタルトルクレンチ。
【請求項４】
２つのボタンセットを有し、前記２つの表示部は両端部を有し、前記両端部は、それぞれ、ヘッド側またはヘッドから離れる他端に向き、前記２つのボタンセットが、それぞれ、前記２つの表示部の一端に位置される、ことを特徴とする請求項２に記載のデジタルトルクレンチ。
【請求項５】
前記２つのボタンセットは、前記２つの表示部の同一端または異なる端に位置される、ことを特徴とする請求項４に記載のデジタルトルクレンチ。
【請求項６】
前記表示部は、前記アーム部の両側の方向に形成され、前記２つの表示部のいずれも法線を有し、各前記表示部の法線と前記中央垂直面との間に夾角を形成し、前記夾角の角度が２０〜7０度である、ことを特徴とする請求項１〜請求項５のうちいずれか一つに記載のデジタルトルクレンチ。
【請求項７】
前記２つの表示部の画面表示の方向は、互いに反対方向に向く、ことを特徴とする請求項１〜請求項５のうちいずれか一つに記載のデジタルトルクレンチ。
【発明の詳細な説明】
【技術分野】
【０００１】
本発明は、ハンドツールに関し、特に、側面から数値を観察および表示しやすい２つの表示部を備えたデジタルトルクレンチに関する。
【背景技術】
【０００２】
現在、一般的に使用されているトルクレンチは、機械式トルクレンチとデジタルトルクレンチに分けられ、機械式トルクレンチは、主にトルク設定機構によって、トルク値を設定した後、使用者が力を加え、設定値に達した時、レンチが動作または音の警告を生成して、使用者に設定値に達したことを通知する。しかし、使用者は、操作中にリアルタイムのトルク値がいくつなのかを知ることができない。デジタルトルクレンチは、アーム部とセンサーユニットと表示部とで構成されており、前記アーム部の前端にヘッドが設けられ、前記センサーユニットは前記アーム部に設けられ、且つ前記アーム部に加えられたトルクを検知できる。前記トルクの数値は、前記表示部によって表示されることは、デジタルトルクレンチの利点である。一般的な構成では、表示部は通常アーム部の頂面に設けられ、デジタルトルクレンチに力を加える同時に、表示部を見ることができる。
【０００３】
しかしながら、デジタルトルクレンチを実際使用する場合、使用者が力を加える間、使用者は、通常デジタルトルクレンチの側に立って、トルクレンチのグリップを手で握って操作する。その時、操作中の使用者の目とトルクレンチの表示部とは角度を形成するため、使用者は、表示部を斜めからしか見ることができず、表示部を見た時に見づらい角度差を形成したため、容易に確認することができない。また、表示画面での数値の表示は、固定された単一方向に向けられ、他の施力の方向から見ると、反対となった数字が現われるため、使用者に不便を与える。
【発明の概要】
【発明が解決しようとする課題】
【０００４】
本発明の主な目的は、トルク値の数値を見やすいデジタルトルクレンチを提供することである。
【０００５】
本発明のもう一つの目的は、双方向表示且つ左右に見ることができるデジタルトルクレンチを提供することである。
【課題を解決するための手段】
【０００６】
上記の目的を達成するために、本発明は、２つの表示部を備えたデジタルトルクレンチを提供し、前記２つの表示部を備えたデジタルトルクレンチは、本体と表示ユニットとを備え、
前記本体はアーム部を有し、前記アーム部の前端部にヘッドを有し、前記アーム部の中心に縦方向に中央垂直面が形成され、前記ヘッドの片側にラチェット部が形成され、
前記表示ユニットは、２つの表示部を有し、前記２つの表示部が傾斜するように前記アーム部に設けけられ、且つ、前記中央垂直面に対して両側に位置され、前記２つの表示部は、それぞれ、頂縁部と底縁部とを有し、前記頂縁部と中央垂直面との間に第１距離を形成し、前記底縁部と中央垂直面との間に第２距離を形成し、前記第１距離は前記第２距離よりも小さくにすることで、前記２つの表示部は、上方および外側に傾斜する。
【０００７】
好ましくは、前記２つの表示部は法線を有し、前記２つの表示部の法線は、それぞれ、前記中央垂直面との傾斜角度が２０°〜７０°である。
【０００８】
好ましくは、２つの表示部の表示方向は、互いに反対な方向である。
【０００９】
本発明が提供する２つの表示部を備えたデジタルトルクレンチでは、その２つの表示部は、それぞれ、アーム部に設けられ、且つ中央垂直面の両側の辺に位置される。これによって、使用者が力を加えて前記アーム部を回転する時、アーム部の両側の斜め上方からトルク値の数値の変化を確認することができ、使用者にとっては、使用中の数値を容易且つ正確に観察することができる。
【図面の簡単な説明】
【００１０】
審査官が本発明によって達成される目的、特徴、および効果をより理解するために、以下、図面を参照しながら、５つの好ましい実施形態について詳細を説明する。
【図１】本発明の第１好ましい実施形態におけるデジタルトルクレンチの斜視図である。
【図２】デジタルトルクレンチの他の側から見たときの斜視図である。
【図３】表示ユニットの２つの表示部の表示設置を示す断面図である。
【図４】デジタルトルクレンチの平面図である。
【図５】デジタルトルクレンチが時計回り方向に力を加える時、使用者が第１表示部を見ることを示す概念図である。
【図６】デジタルトルクレンチが反時計回り方向に力を加える時、使用者が第２表示部を見ることを示す概念図である。
【図７】本発明の第２の好ましい実施形態を示す図であり、当該デジタルトルクレンチのボタンセットがグリップに近い側に設置されている。
【図８】本発明の第３の好ましい実施形態を示す図であり、当該デジタルトルクレンチのボタンセットがヘッドに近い側に設置されている。
【図９】本発明の第４の好ましい実施形態を示す図であり、具体的には、当該デジタルトルクレンチの表示ユニットにおける２つの表示部は、アーム部の軸心を超える箇所に設置されていることを示す断面図である。
【図１０】本発明の第５の好ましい実施形態であり、当該デジタルトルクレンチのアーム部は六角形に形成され、当該表示ユニットの２つの表示部は、それぞれ、上方かつ両側辺に設けられた表示画面を示す断面図である。
【発明を実施するための形態】
【００１１】
図１〜４は、本発明の双方向表示部を備えたデジタルトルクレンチの好ましい実施形態を示している。当該デジタルトルクレンチ１０は、本体２０とセンサーユニット３０と表示ユニット４０とを備える。前記本体２０は、アーム部２１を有し、前記アーム部２１の中心に縦方向に、中央垂直面２１２が画定され、前記センサーユニット３０が前記アーム部２１に設けられ、トルク値を検知することができる。検知されたトルク値が前記表示ユニット４０によって表示される。前記表示ユニット４０は、第１表示部４１と第２表示部４２とを有し、前記第１表示部４１と第２表示部４２とが前記アーム部２１の上方に配置され、且つ、それぞれ、前記中央垂直面２１２の両側に位置され、上方および外側を向く傾斜角になるように設置されている。これによって、私用者がアーム部２１の頂面から斜めに表示ユニット４０によって表示された内容を見ることができる。
【００１２】
図１〜図４に示すように、前記本体２０は、アーム部２１を有し、前記アーム部２１の前後両端部には、ヘッド２２とグリップ２３とが形成され、前記アーム部２１における前記ヘッド２２の端部から前記グリップ２３の端部への中心に、軸線２１１が画定され、前記ヘッド２２の底面に、ワークと係合するラチェット部２２１が設けられ、前記アーム部２１は、前記軸線２１１を中心線として縦方向に中央垂直面２１２を画定し、前記中央垂直面２１２は、力作用平面２１３に垂直する。
【００１３】
図２に示すように、前記センサーユニット３０は、前記アーム部２１に設けられ、且つ、アーム部２１に加えられたトルクを検知することができる。
【００１４】
図１〜図４に示すように、前記表示ユニット４０は、前記アーム部２１における前記グリップ２３付近に配置され、前記第１表示部４１と第２表示部４２とを備える。前記第１表示部４１と第２表示部４２とは、それぞれ、前記中央垂直面２１２の両側に設置されている。図４に示すように、前記第１表示部４１と第２表示部４２とが傾斜してアーム部２１の上方に配置され、前記第１表示部４１が前記アーム部２１の左側に取り付けられ、前記第２表示部４２が前記アーム部２１の右側に取り付けられている。図３に示すように、前記第１表示部４１と前記第２表示部４２とは、それぞれ、法線を有し、その法線と中央垂直面２１２との間に傾斜角度θを有し。角度が２０°〜７０°であり、且つ、前記第１表示部４１と第２表示部４２との表示画面は、互いに反対方向に向かって表示する。前記第１表示部４１の上下両側には、頂縁部４１１と底縁部４１２とが画定され、前記第２表示部４２にも、頂縁部４２１と底縁部４２２とが画定され、前記頂縁部４１１（４２１）と前記中央垂直面２１２との間に、第１距離ｄ１を有し、前記底縁部４１２（４２２）と前記中央垂直面２１２との間に、第２距離ｄ２を有し、前記２つの第１距離ｄ１は、前記２つの第２距離ｄ２よりも小さい。これによって、前記第１表示部４１と、第２表示部４２とが、上方および外側に向かって傾斜している。前記２つの表示ユニット４０は、前記センサーユニット３０の信号を受信して、トルク数値を表示する。
【００１５】
図１〜図３に示すように、ボタンセット５０は、前記アーム部２１に配置され、且つ、前記第１表示部４１の頂縁部４１１と第２表示部４２の頂縁部４２１との間に位置され、アーム部２１の頂端部の箇所に位置されている。前記ボタンセット５０は、複数のボタン５１で構成され、前記ボタン５１は、例えば、単位の選択、調整の設定、または表示画面のロックなどの所要に応じて異なる動作要件を提供することができる。図７または図８は、本発明の第２および第３好ましい実施形態を示している。これらの実施形態においては、２つのボタンセット５０を有し、各ボタンセット５０が第１表示部４１または第２表示部４２に対応し、前記ボタンセット５０が前記表示ユニット４０の両端に設置され、例えば、グリップ２３またはヘッド２２側に近づけて、操作しやすい位置に配置され、前記ボタンセット５０は、表示ユニット４０の同じまたは異なる端に設置されている。
【００１６】
図５および図６を参照されたい。実際の操作では、使用者が力を加えると、デジタルトルクレンチ１０は身体から一定の距離を維持し、腕の力によって前記本体２０のグリップ２３を回転すると、力は、力作用平面２１３の方向からヘッド２２のラチェット部２２１に伝達され、ラチェット部２２１を介して、ワークを回転させる。このとき、使用者の視線は、前記本体２０と角度を有するため、傾斜するように設置された表示ユニット４０では、より良い観察角度を提供することができる。これによって、使用者は、操作のトルク値などの情報を簡単かつ迅速に観察することができる。さらに、数値は単一の画面に表示されるように、第１表示部４１または第２表示部４２のうちいずれか一つのみで数値を表示させてもよく、ボタンセット５０の操作によって数値を第１表示部４１または第２表示部４２に表示させても良い。さらに、数値を第１表示部４１および第２表示部４２に同時に表示しても良い。図５に示すように、使用者が時計回り方向に力を加えると、前記第１表示部４１が使用者に近づき、前記第１表示部４１によってトルク値を表示することができる。これによって、使用者は、第１表示部４１に表示された数値を斜めから観察することができ、前記数値が明確に表示させることができる。一方で、図６に示すように、使用者が反時計回り方向に力を加えると、前記第２表示部４２が使用者に近づき、前記第２表示部４２によってトルク値を表示することができる。これによって、使用者が第２表示部４２によりトルク値の変化を観察することができる。
【００１７】
図９は、本発明の第４の好ましい実施形態の断面図を示しており、その主な構造は、第１の好ましい実施形態と同じであるので、詳細を省略する。前記表示ユニット４０の第１表示部４１と第２表示部４２とは、アーム部２１の軸線２１１を超えるように配置される。これによって、前記表示ユニット４０は、より大きい面積での表示効果を奏する。
【００１８】
また、図１０は、本発明の第５の好ましい実施形態を示しており、その主な構造は、第１好ましい実施形態と同じであるので、詳細を省略する。前記アーム部２１が六角形に形成されており、前記表示ユニット４０の第１表示部４１と第２表示部４２とは、前記アーム部２１の上方且つ両側に配置されている。
【００１９】
本発明が提供するデジタルトルクレンチ１０は、単に頂面に設置された従来のトルクレンチのように、使用者が観察位置を調整して頂面に表示された数値を見る状況、または、トルク値を後方から見る時に誤読される状況に対して、本発明のように、前記アーム部の両側に傾斜して表示される２つの表示部では、使用者が力を加える時に、観察により容易な角度およびも視角を得ることができ、使用者は視角を変更する必要がない。且つ、数値は、両側で正しい方向に読み取れるため、利便性と視認性を向上させることができる。
【符号の説明】
【００２０】
１０          デジタルトルクレンチ
２０          本体
２１          アーム部
２１１        軸線
２１２        垂直面
２１３        力作用平面
２２          ヘッド
２２１        ラチェット部
２３          グリップ
３０          センサーユニット
４０          表示ユニット
４１          第１表示部
４１１        頂縁部
４１２        底縁部
４２          第２表示部
４２１        頂縁部
４２２        底縁部
５０          ボタンセット
５１          ボタン
ｄ１          第１距離        
ｄ２          第２距離
【図１】
2020146829.tif 000003
【図２】
2020146829.tif 000004
【図３】
2020146829.tif 000005
【図４】
2020146829.tif 000006
【図５】
2020146829.tif 000007
【図６】
2020146829.tif 000008
【図７】
2020146829.tif 000009
【図８】
2020146829.tif 000010
【図９】
2020146829.tif 000011
【図１０】
2020146829.tif 000012